(57)【要約】      （修正有）【課題】木・竹炭，木・竹酢液，無機質シラスバル−ン，アルカリ中和剤等の特性を活用した環境に優しく、消毒，抗・除菌，消臭効果等に優れ、研磨の向上，選択性を可能にした人造軽石である。【解決手段】粒・粉状の木・竹炭３，４と硬質の微細な突起７ａおよび窪み８ｂ，木・竹酢膜５を表面に多数露出するよう形成された板体１から成る人造軽石。【選択図】図１
0003140393.tif 000002
【実用新案登録請求の範囲】
【請求項１】
皮膚の表皮の角質層を除去する際に使用される軽石に於いて、
粒・粉状の木・竹炭，木・竹酢膜と硬質の微細な突起おょび窪みを表面に多数露出した板体で形成されたことを特徴とする人造軽石。
【考案の詳細な説明】
【考案の詳細な説明】
【産業上の利用分野】
【０００１】  本考案は、主として入浴時に於ける人体の一部、特に、肘，足裏等の皮膚に発生する堅固な角質層の除去を効率よく、かつ、人体の健康を保持する為の人造軽石に関する。
【背景技術】
【０００２】  従来、人体の一部としての肘，足裏等の皮膚の表皮に出来る堅固な角質層の除去する方法としては、軽石が使用されることが多い。
軽石は火山噴火活動時に発生する大量のガス等が混入した様々な形状，大きさの気泡の痕跡を有する軟らかい石質体を適宜形状に切断すること出来るものであるが、しかしながら、天然素材から成る軽石は、石質が比較的柔らかなので、堅固に積層された角質層を長時間、または、使用頻度が高い場合にあっては、表面が擦り減ると共に、窪みの縁の鈍化等に依って、角質層の除去効果が著しく減少すると言う致命的欠点を有していた。
この様な欠点を補うため、現在、次の様な人造の軽石が開発され市販されている。
その多くは、合成樹脂素材を主たる成分として、それぞれ、無機質発泡体と硬質ウレタン樹脂等，酢醋ビニ−ル樹脂とポリウレタンフォ−ム等，硬質ウレタン樹脂と銅微粒子等々の原材料の組み合わせから成る人造軽石である。
この様な合成樹脂素材を主たる成分とする人造軽石は、決して人体の皮膚に優しいものではなく、しかも、高価であるとされている。
したがって、安価かつ入手し安い人造軽石が要望される現状にある。
【考案が解決しょうとする課題】
【０００３】  本考案は、特に人造軽石の合成樹脂素材から成る原材料に起因して生じる入浴時に於ける人肌の一部特に肘，足裏等皮膚に発生する角質層の除去効果を維持するための擦りに依る皮膚の表皮を損傷させ、所謂乾燥肌を生じせしめる等の問題点の改良を図ると共に、抗・除菌，消臭効果等に依って、人体の健康を保持し、かつ環境に優しい人造軽石を提供するにある。
【課題を解決するための手段】
【０００４】  本考案にあっては、構成素材が骨材としての無機質発泡タィプシリカに、粒・粉状体から成る粉砕した木・竹炭、また、木・竹酢液，無機質発泡剤，アルカリ中和剤，バィンダ−物質としてのセメントさらには水を、それぞれ、定率で混練してから、所定の型枠内に流し込み、任意の形状，大きさに硬化一体化させ、表面に被覆された皮膜層を研磨等の除去処理して人造軽石が形成されるものである。
【作用】
【０００５】  本考案は、人肌の角質層の除去効果に減少を来した場合は、人造軽石の表面同士を軽く適宜擦ることで、人造軽石の表面の目詰まりが著しく更新され、表面の無数の独立発泡の気泡の切断に依って出来る窪みの縁すなわちエッジおょび粒・粉状の木・竹炭や木・竹酢液が変化した木・竹酢膜等が露出、また、中空球粒子から成る発泡タィプシリカが突起状態で突出するのであるが、特に露出した粒・粉状の木・竹炭や木・竹酢膜等にあっては、その成分が溶出することになるから、従来の原材料が主として合成樹脂素材から成る人造軽石の様な欠点を合理的に解決すると共に、特に木・竹炭の特性としての消毒，抗・除菌，消臭効果等、ならびに、木・竹酢液の特性としての人体内への浸透・吸収性と相俟って、新しい人造軽石の清潔を保持するにとどまらず、血行の促進，皮膚の美容，アトピ−の改善，水虫治療等の幅広いスキンケア効果をも発揮することが期待出来得るので、単に従来の軽石の代替品ではなく、石油を主原材料とする所謂人造軽石との差別化し、人体や環境に優しい新たな人造軽石の製品化を図り得るのである。
【実施例】
【０００６】  本考案を図示の実施例により説明する。
本考案の構成は、図１に示す様に、本考案人造軽石Ａは、所定量の硬質の発泡タィプの無機質のシリカ７から成る骨材に、同様予め粉砕した定量の粒・粉状の木・竹炭３，４と木・竹酢液（図示せず），松脂を主原料とする濃縮した無機質独立発泡剤８、低アルカリ性無機質化合物から成る塩基性塩化鉄（Ｆｅ２Ｃｌ６・ｎＦｅ２Ｏ３）を主成分とする中和剤６に、定率のセメント２と水とを加え混練して形成される。
経時後には、上記素材はバィンダ−としてのセメント２が水分によって、凝固することで、強固に結び付き、被覆硬化した皮膜層（図示せず）を表面１ａに有する所定の小判型の形状の板体１に形成されるものである。
上記、粉砕した多数の粒・粉状の木・竹炭３，４の表面には、細かく連続した多孔質の孔から成る内部空隙が無数に開いており、空隙の表面積を合計すると、１ｇ当たり約２５０ｍ２もあり、この無数の孔が外界に通じる空気や水の通路であり、また、孔が悪臭の原因となる有機物，有毒物質を吸着させると共に、微生物を定着せしめることで、匂いの元を分解することになる。
この効果を得るために、他の原材料との混練前に、粉砕した粒・粉状の木・竹炭３，４を、予め水槽等で浸漬処理することで、多孔質の孔から成る内部空隙内の目詰りを避け、孔内の有効表面積を確保しておく必要がある。
また、アルカリ中和剤６は低アルカリ性無機質化合物から成る塩基性塩化鉄（Ｆｅ２Ｃｌ６・ｎＦｅ２Ｏ３）から成り、その特徴は、セメント２の硬化初期に多核結晶を生成する核となり、硬化した皮膜を作るため、非透水能力を増大させる作用に依って、強度増強，防水，防湿性の効果を発揮し、同時に初期の硬化反応を促進させる作用に依り、白華現象を押え、過剰アルカリの中和を促進させることにある。
さらに、硬質の発泡タィプの無機質のシリカ７は、所謂シラスバル−ンと称されるもので、珪酸および酸化アルミニウムを主成分とし、その固体は凡そ１２０メッシュ以下、それぞれ、独立した球形に近い中空体粒子から成るものである。
発泡剤８は、松脂の粉状体等を主体とした濃縮した無機質独立発泡タィプであって、上記原各材料に混入すなわち常温で空気に触れることで、起泡する性質があり、経時後、やや硬質の皮膜を有する自然の独立発泡８ａになるのである。
独立発泡８ａの形状は、ほぼ球形に近い中空体粒子，サィズは０．００５〜０．３ｍｍ径程度である。
なお、これ等原材料の混合率の例としての嵩容積つまり容積比は、凡そ次の範囲内であるが、気温，日照度，湿度条件等の外的要素に依って、自ずから混合率が異なるのである。
シリカ                              １．７〜  ３．６％
木・竹炭類                        １７．０〜２８．０％
木・竹酢液                          ５．０〜  ９．５％
アルカリ中和剤                      ０．３〜  ０．６％
発泡剤                              ０．８〜  １．８％
セメント                            ６．０〜１１．０％
水                                １０．０〜１７．０％
空気（気泡）                      ４５．０〜２５．５％
また、本考案人造軽石Ａを形成する任意の形状の板体１の表面１ａが、セメント２ならびに塩基性塩化鉄（Ｆｅ２Ｃｌ６・ｎＦｅ２Ｏ３）から成るアルカリ中和剤６で、硬く被覆された皮膜で形成されるので、この場合は、それぞれ、グラィンダ−，ブラシ等で削成および研磨させることで、板体１の表面１ａに突出した状態で位置する無数の粒・粉状の木・竹炭３，４および独立発泡８ａの表面１ａに被覆された皮膜で形成されたバィンダ−層を除去処理し、表面１ａ至近に位置する粒・粉状の木・竹炭３，４の一部を多数完全、かつ、斑状に露出させることで、無数の粒・粉状の木・竹炭３，４の多孔質の露出、ならびに、水平に切断された独立発泡８ａの切断位置に依って、それぞれ、独立発泡８ａは、深さの異なったお椀形の窪み８ｂになるから、木・竹炭の特性を損なうことなく、また、独立発泡８ａから創出された窪み８ｂの縁８ｃが、いわば、スケ−トのエッジの役割すなわち刃先の効果を演出することになるものである。
さらには、表面１ａ付近に混在するシリカ７以外の本考案人造軽石Ａを構成する他の原材料が減耗し、経時後は、研磨能力を減少することになるが、シリカ７は硬質のため、他の原材料に比して、減耗し難く、無数の独立した球形に近い中空体粒子の突起７ａとして残存し、人造軽石Ａの能力を補うことになるものである。
しかしながら、長期使用に依って、図２の如く、表面１ａに突起したシリカ７の中空体粒子の突起７ａまでもが、ほぼ減耗してしまい、人造軽石Ａの研磨効果を著しく向上させる必要がある場合には、本考案人造軽石Ａの表面１ａ同士を互いに擦り合わせることで、図３に示す様に、双方の表面１ａ付近に混在する硬質のシリカ７の微小な中空体粒子の突起７ａおょび独立発泡８ａから創出された窪み８ｂ等が新たに造形されることになると共に、粒・粉状の木・竹炭３，４や木・竹酢液が変化した木・竹酢膜５が露出、おょび、中空球粒子から成る発泡タィプシリカ７が突起７ａ状態で突出するから、特に露出した粒・粉状の木・竹炭３，４や木・竹酢膜５にあっては、その保有する成分が入浴時や湯や水等使用時に自然に溶出することになる。
窪み８ｂの縁８ｃを主体に、球形に近い中空体粒子の突起７ａと相俟って、初期の研磨効果を創出し得るのみならず、さらに、表面１ａに無数の斑状に露出した粒・粉状の木・竹炭３，４の表面の細かく連続した多孔質の孔から成る内部空隙に水や植物性油分を適宜含浸させることで、研磨効果の微妙な調整が図れる。
特に、表面１ａ付近に露出したパウダ−状の粒・粉状の木・竹炭３，４や木・竹酢膜５が湯や水等に溶け易く、したがって、本考案人造軽石Ａは、粒・粉状の木・竹炭３，４の特有の消毒，抗・除菌，消臭効果等、ならびに、木・竹酢液の特性としての人体内への浸透・吸収性と相俟って、新たな研摩材としての清潔を保持することが容易、かつ、可能であるのにとどまらず、血行の促進，皮膚の美容，アトビ−の改善，水虫治療等の幅広いスキンケア効果をも発揮することが期待出来得るものである。
なお、本考案にあっては、原材料の成分が上記内容で構成されており、嵩容積が凡そ上記の範囲内であるから、比重が０．６〜０．８程度と小さく，ＰＨも９前後と通常のＰＨ１１〜１２程度の温泉よりも低いＰＨの弱アルカリ性であるので、水に浮き軽く取り扱い易い上に、環境に優しい人造軽石Ａである。
本考案は、人肌の一部に出来る角質層等の除去に止まらず、その用途は、人造軽石Ａの原材料、特に粒・粉状の木・竹炭３，４，シリカ７また発泡剤８等の粒度，量を適宜調整、また、表面１ａの状態を微調整例えば吸油・吸水率を調整することで、一般家庭の鍋釜等の研摩材に替わる環境に優しい汎用研磨材として、適用可能と成るものである。
【考案の効果】
【０００７】  本考案は、上記の如き、環境に優しい細かく連続した多孔質の孔から成る内部空隙が無数に開いた粒・粉状の木・竹炭，球形に近い中空体粒子から成る硬質の発泡タィプの無機質のシリカ，松脂の粉状体等を主体とした濃縮した無機質独立発泡タィプの発泡剤おょび低アルカリ性無機質化合物から成るアルカリ中和剤等の特性をそれぞれ採り入れ、人造軽石であるから、木・竹酢液の特性としての人体内えの浸透・吸収性とに依って、人造軽石の清潔を保持するにとどまらず、血行の促進，皮膚の美容、さらに加えて、消毒，抗・除菌，消臭効果等を有するので、アトビ−の改善，水虫治療等の幅広いスキンケア効果をも発揮することが期待出来、また、使用し易いものである。
また、使用頻度に依る表面の減耗に於いても、人造軽石の内部には、無数の粒・粉状の木・竹炭，木・竹酢膜，独立した球形に近い中空体粒子が残存しているから、必然的に内部に埋もれていた無数の粒・粉状の木・竹炭、おょび、独立した球形に近い硬質の中空体粒子の突起と独立発泡から創出された窪みが、表面に出現ることになるから、人造軽石の能力を損なうこと無い。
【図面の簡単な説明】
【図１】  本考案の実施例の一部切欠拡大正面縦断面図
【図２】  本考案の実施例の使用後の状態を示す一部切欠拡大正面縦断面図
【図３】  本考案の実施例の表面の再研磨後の一部切欠拡大正面縦断面図
【符号の説明】
１．          板体
１ａ．        板体の表面
２．          セメント
３．          粒・粉状の木炭
４．          粒・粉状の竹炭
５．          木・竹酢膜
６．          アルカリ中和剤
７．          シリカ
７ａ．        中空体粒子の突起
８．          発泡剤
８ａ．        独立発泡
８ｂ．        窪み
８ｃ．        窪みの縁
Ａ．          人造軽石
【図１】
0003140393.tif 000003
【図２】
0003140393.tif 000004
【図３】
0003140393.tif 000005